(57)【要約】【課題】  時計の押しボタンの偶発的作動を回避する手段を提供する。【解決手段】  少なくとも１つの押しボタン（９）と、押しボタン（９）により作動可能な少なくとも１つの操作部材（１３）と、押しボタンをロックする装置（１０）とを有する時計において、ロック装置（１０）は、押しボタン（９）が、押しボタンを押すことができる起点としての軸方向ロック解除位置及び軸方向ロック解除位置よりも時計の内部に一層近く位置していて、操作部材が作動されることはない軸方向ロック位置を取ることができるよう構成されていることを特徴とする時計が提供される。【選択図】      図２
2005292139.tif 000002
【特許請求の範囲】
【請求項１】
少なくとも１つの押しボタン（９；３０）と、押しボタンにより作動可能な少なくとも１つの操作部材（１３；４７）と、押しボタンをロックする装置（１０；３１，３８）とを有する時計において、ロック装置は、押しボタン（９；３０）が、押しボタンを押すことができる起点としての軸方向ロック解除位置及び軸方向ロック解除位置よりも時計の内部に一層近く位置していて、操作部材が作動されることはない軸方向ロック位置を取ることができるよう構成されていることを特徴とする時計。
【請求項２】
ロック装置は、押しボタン（９；３０）が軸方向ロック位置にあるとき、押しボタンの少なくとも一部を覆う保護壁（１１；３１）を有していることを特徴とする請求項１記載の時計。
【請求項３】
ロック装置は、前記保護壁（１１）を備えた回転可能な部材（１０）であり、この回転可能部材（１０）は、所定方向への回転中、保護壁（１１）が押しボタン（９）の傾斜フェース（１５）と協働して押しボタン（９）をその軸方向ロック解除位置からその軸方向ロック位置に移動させる構成されており、保護壁（１１）は又、押しボタン（９）をその軸方向ロック位置に保持するのに役立つことを特徴とする請求項２記載の時計。
【請求項４】
回転可能部材（１０）は、ベゼルであることを特徴とする請求項３記載の時計。
【請求項５】
押しボタン（９）は、軸方向ロック解除位置にあるとき、所定距離（Ｄ）だけ操作部材（１３）から離されており、押しボタン（９）の軸方向ロック解除位置からその軸方向ロック位置への移動距離は、この所定距離（Ｄ）以下であることを特徴とする請求項３又は４記載の時計。
【請求項６】
ロック装置は、押しボタン（３０）の軸方向において押しボタン（３０）に固定された引っ込み可能な部材（３８）と、この引っ込み可能部材（３８）を駆動する部材（３１）とを有し、引っ込み可能部材（３８）は、押しボタン（３０）のロック解除位置では、操作部材（４７）の圧力フェース（５１）に向き、それにより引っ込み可能部材（３８）が押しボタン（３０）に加わる圧力の作用を受けて操作部材（４７）を作動させることができ、引っ込み可能部材（３８）の引っ込み位置では、もはや操作部材（４７）の圧力フェース（５１）には向かず、それにより押しボタン（３０）をロックするために操作部材（４７）を作動させずに駆動部材（３１）により時計の内方への引っ込み可能部材（３８）及び押しボタン（３０）の運動を可能にする第１の端部（４０）を有していることを特徴とする請求項１又は２記載の時計。
【請求項７】
駆動部材（３１）は、引っ込み可能部材（３８）の第２の端部（４１）と協働する溝（４２）を備えた回転可能な部材であり、この第２の端部（４１）は、引っ込み可能部材（３８）に作用する弾性手段（３９）により溝（４２）内に保持され、溝（４２）は、回転可能部材（３１）の回転中、引っ込み可能部材（３８）を引っ込め、次に回転可能部材を時計の内部に向かって移動させるために規定の方向に引っ込み可能部材（３８）の第２の端部（４１）を案内することができる形状を有することを特徴とする請求項６記載の時計。
【請求項８】
回転可能部材（３１）は、ベゼルであることを特徴とする請求項７記載の時計。
【発明の詳細な説明】
【技術分野】
【０００１】
本発明は、１又は数個の押しボタンを有する時計に関し、特に、押しボタンの偶発的な作動を回避するよう押しボタンを休止位置にロックする装置を有する時計に関する。
【背景技術】
【０００２】
スイス国特許第５６７３００号明細書は、ロック装置が回転可能なベゼルであり、この回転可能なベゼルがその周囲の一部にわたり、押しボタンを隠すよう押しボタンに向いた状態で配置できる円弧の形態の垂直壁を備えた棚部を有するかかる時計を開示している。
この時計では、円弧の形態をした垂直壁は、大きなアールを備えなければならず、換言すると、押しボタンの出るフレームの壁から十分離れたところに位置しなければならず、したがって、押しボタンをロック解除すると、押しボタンは、十分に目に見え、かくしてユーザによって容易に操作できる。これにより、全体的なサイズが増大すると共に時計の見栄えが損なわれる。
【発明の開示】
【発明が解決しようとする課題】
【０００３】
本発明は、この欠点を解決しようとするものである。
【課題を解決するための手段】
【０００４】
この目的のため、特許請求の範囲の請求項１に記載された時計を提供し、具体的な実施形態は、従属形式の請求項に記載されている。
本発明の他の特徴及び利点は、添付の図面を参照して以下の詳細な説明を読むと明らかになろう。
【発明を実施するための最良の形態】
【０００５】
図１〜図６を参照すると、本発明の第１の実施形態としての腕時計タイプの時計は、裏２、フレーム又は中間部分３及びガラス蓋５を支持したベゼル４を有する時計ケース１を有している。ケース１内には、文字板７を支持したムーブメント６が納められている。巻回及び設定用の竜頭８及び押しボタン９が、ケース１の縁壁から半径方向に突き出ている。押しボタン９は、竜頭８の両側に配置され、時計の機能、例えばクロノグラフ針の開始及び停止を実行するのに役立つ。
【０００６】
本発明の時計は、ユーザにより作動可能であり、押しボタン９の作動を防止するよう押しボタン９を規定の軸方向位置にロックしたりユーザが押しボタンを用いたいと思った場合に押しボタンをロック解除できるロック装置を更に有している。このロック装置は好ましくは、フレーム３の側方外側フェースに沿ってぐるりと延びた垂直の円筒壁１１を備えると共に開口部１２を備えた回転可能なベゼル１０の形態をしている。押しボタン９のロック／ロック解除は、ベゼル１０を回すことにより行われる。押しボタン９は、押しボタンが垂直円筒壁１１によって隠される場合には「ロック」され、押しボタンがこの壁１１の開口部１２に向いていて、それにより押しボタンを作動させることができるユーザにとって接近可能である場合「ロック解除」されると言える。本発明によれば、そして特にスイス国特許第５６７３００号とは対照的に、押しボタン９は、押しボタンがロックされるかロック解除されるかに応じて互いに異なる軸方向位置を取る。押しボタン９は、これらの軸方向ロック解除位置では、容易に目に見え、ユーザにとって容易に接近できるのに十分な距離ｄにわたりフレーム３の側方外側フェースから出る（図３参照）。押しボタン９は、これらの軸方向ロック位置では、フレーム３の壁内に引っ込められ（図４参照）、したがって押しボタンを覆う回転可能ベゼル１０の垂直円筒壁１１の内径が比較的小さくても良いようになっている。
【０００７】
図３〜図５で理解できるように、押しボタン９は各々、時計ケース１内の操作プッシュ部材１３の各々とそれぞれ協働するようになっている。各押しボタン９は、ヘッド１４（図６参照）を有し、ユーザの指を受け入れるようになったそのフェース１５は傾けられており、各押しボタン９は、このヘッド１４の内側凹部内へ押し込められた管１６を更に有し、この管１６は、軸方向ロッド１８の螺設端部がねじ込まれる軸方向内側突起１７を有している。各押しボタン９は、フレーム３の貫通ボアに押し込まれ、２つの端部が開口した管１９により支持された状態で案内される。ロッド１８は、固定管１９内で延び、その自由端部２０は、プッシュ部材１３に向いた状態で位置している。戻しばね２１が、管１６の底部と固定管１９の環状内側肩に当接したリング２２との間で突起１７及びロッド１８の周りに配置されている。
【０００８】
押しボタン９の軸方向ロック解除位置では、ロッド１８の自由端部２０は、操作部材１３から或る距離Ｄのところに位置している（図３）。押しボタン９をこのロック解除位置から、その戻しばね２１により及ぼされる作用に抗して軸方向に押すと操作部材１３を作動させることができ、それにより時計の機能を制御することができる（図５）。この際に押しボタン９が行う運動は、２つの連続した動き、即ち、押しボタンを操作部材１３から引き離している距離Ｄにわたる空動き及び次の操作部材１３を押圧する有効な動きに分けられる。
【０００９】
押しボタン９をロックするため、ユーザは、ベゼル１０を押しボタン９のフェース１５の正の傾斜方向に対応した方向に、即ち、図示の例では時計回りに回転させてベゼル１０の垂直円筒壁１１がこの傾斜フェース１５と協働して押しボタン９を戻しばね２１により及ぼされる作用に抗して押すようになっている。回転可能ベゼル１０の垂直円筒壁１１の内径及び押しボタン９のフェース１５の傾斜角は、ベゼル１０の回転により引き起こされる押しボタン９の移動が距離Ｄ以下であるように選択されている。かくして、押しボタン９をロックすると、これら押しボタンは、場合によっては押しボタン９が図４に示すような操作部材１３に接触するまでそれぞれの操作部材１３の方へ向くようになるが、この場合操作部材１３を作動させることはない。押しボタン９は、垂直円筒壁１１によりこれらのロック位置に保持され、かかる垂直円筒壁は、それと同時にこれら押しボタンを隠して保護する。押しボタン９をロック解除するには、ベゼル１０を逆方向に回せばよい。押しボタン９が開口部１２の方に向くとすぐに押しボタン９はこれらのばね２１によってケース１から外方へ押し出されることになる。
【００１０】
図７〜図１５を参照すると、本発明の第２の実施形態の時計は、裏２４、フレーム又は中間部分２５及びガラス蓋２７を支持したベゼル２６を有する時計ケース２３を有している。ケース２３内には、ムーブメント２８及び文字板２９が納められている。巻回及び設定用の竜頭（図示せず）及び押しボタン３０が、ケース２３の縁壁から半径方向に突き出ている。
【００１１】
この第２の実施形態の時計は、回転可能なベゼル３１を更に有し、この回転可能ベゼル３１は、その周囲の一部にわたり、押しボタン３０に向いた位置に来てこれら押しボタンがロック位置にあるとき、押しボタンを隠してこれらを保護するようになった円弧の形態の垂直壁３２を有している。回転可能ベゼル３１及びケース２３と同軸の円弧の形態（図１１及び図１２参照）をしていて、垂直壁３２の角度の広がりに一致した角度の広がりをもつ溝３３が、固定ベゼル２６の下に位置した回転可能ベゼル３１の水平環状壁の一部の上側フェースに形成されている。この溝３３は、回転可能ベゼル３１の角運動を制限するよう固定ベゼル２６に固定されたピン３４を受け入れる。ボール戻止めを溝３３の端部のところに設けるのがよく、これらボール戻止めは、ピン３４と協働して回転可能ベゼル３１をその２つの端位置のうち一方又は他方にロックする。
【００１２】
図７〜図１０に示すように、押しボタン３０は、フレーム２５のキャビティ３５内に納められ、この押しボタンは、ケース２３の内方に曲げられたこれらの内側フェースに凹部３６を有している。押しボタン３０は、凹部３６内へ開口し、案内管３７が押し込められる垂直貫通ボアをこれらの上壁に更に有している。この案内管３７にはその長さ全体にわたって円筒形垂直フィンガ３８が軸方向に自由に且つ管３７に対して回転可能に通されており、この円筒形垂直フィンガ３８は、管３７の下方内側環状肩とフィンガ３８の実質的に中央の環状リブとの間に設けられた圧縮ばね３９の作用を受ける。フィンガ３８の下端部４０は、押しボタン３０の凹部３６に入り込むよう管３７の外部に突き出ている。フィンガ３８の上端部４１は、回転可能ベゼル３１の水平環状壁の下側フェースに形成された溝４２と協働するよう管３７の外部に突き出ている。この上端部４１は、ばね３９によりフィンガ３８に及ぼされる圧力によって溝４２内に永続的に保持されている。
【００１３】
押しボタン３０のフィンガ３８とそれぞれ関連した溝４２が、図１１及び図１２に示されている。これら２つの溝４２は、時計回りの方向に連続して、回転可能ベゼル３１及びケース２３と同軸の円弧の形態をした長い部分４３、長い部分４３から見てケース２３の軸線から逸れた中間部分４４、回転可能ベゼル３１及びケース２３と同軸の円弧の形態をした短い部分４５及びケース２３の軸線に対し半径方向に差し向けられていて、短い部分４５とエルボを構成する短い端部分４６を有している。２つの溝４２の長い部分４３は、時計回りの上流側に位置した溝４２の長い部分４３と中間部分４４との間の移行部で互いに出会っている。各溝４２の深さは、長い部分４３及び中間部分４４の長さ全体にわたって一定である。この溝が、半径方向部分４６の長さ全体についても一定であるが、部分４３，４４の場合よりも半径部方向部分４６の方が小さい。溝４２の短い部分４５の深さは、溝４２の深さの変化が中間部分４４と半径方向部分４６との間で連続したものになるよう中間部分４４から半径方向部分４６まで次第に減少している。
【００１４】
再び図７〜図１０を参照すると、各押しボタン３０は、水平案内管４８に嵌まり込んでいる水平操作プッシュ部材４７に向き、水平案内管の第１の端部は、フレーム２５の貫通ボアに押し込められ、第２の端部は、押しボタン３０の凹部３６内に受け入れられていることが分かろう。この操作部材４７は、管４８内の圧縮ばね４９の作用を受け、休止位置では、その端部のうち第１の端部５０が押しボタン３０と反対側に位置し、管４８の第１の端部の外側フェースに当接することによりこの管４８内に保持され、操作部材４７の第２の端部５１は、管４８の端部と同様凹部３６内に位置している。管４８は、管４８の円筒壁の上方部分では部分的に水平に、管４８の上述の第２の端部を構成する管４８の平らな壁内では部分的に垂直に延びる正方形の形をした切欠き５２をその第２の端部の側部に有している。この切欠き５２は、フィンガ３８の下端部４０を受け入れる。
【００１５】
回転可能ベゼル３１と圧縮ばね３９付きのフィンガ３８は一緒になって、以下のように作用する押しボタン３０のロック装置を形成する。
回転可能ベゼル３１の垂直壁３２が押しボタン３０に向いていない場合（図７、図１１及び図１３）、フィンガ３８の下端部４０は、操作部材４７の上述の第２の端部を構成する垂直の平らなフェース５１に向き、より詳細には、管４８の切欠き５２の垂直部分内で垂直の平らなフェース５１と接触し又はこれとほぼ接触し、フィンガ３８の上端部４１は、溝４２の半径方向部分４６内に位置する。押しボタン３０が容易に目に見え、容易に接近できるこのロック解除位置では、ユーザが各押しボタン３０を押してこれに対応した操作部材４７を作動させることができる。この場合、操作部材４７の作動は、フィンガ３８が操作部材４７のフェース５１を押すことによって行われ、このフィンガ３８は、押しボタン３０の軸方向で押しボタン３０に固定されている。押しボタン３０とフィンガ３８と操作部材４７の組立体のこの運動中、フィンガ３８の上端部４１は、溝４２の半径方向部分４６内で案内されることになる。図７は、操作部材４７の押圧の終わりにおけるこのフィンガ３８の位置を符号５３により且つ点線で示している。押しボタン３０に加わる圧力が無くなるとすぐに、圧縮ばね４９は、上述の組立体３０，３８，４７をその初期軸方向位置に戻すことになる。
【００１６】
押しボタン３０をロックするには、ユーザは、ベゼル３１を時計回りの方向に回して遂にはこれが図１２に示すその位置に達するようにし、かかる位置では、押しボタン３０がベゼル３１の垂直壁３２によって隠されて保護される。ベゼル３１のこの回転運動中、フィンガ３８の上端部４１は、溝４２によって案内され、溝４２の短い部分４５、中間部分４４、そして長い部分４３に連続して入る。フィンガ３８がそれ自体回転しやすいので、溝４２のこれら互いに異なる部分４３〜４５相互間の移行部の通過が容易になる。
【００１７】
フィンガ３８の上端部４１が短い部分４５中を通ることにより、フィンガ３８が引っ込められ、換言すると、フィンガ３８が上方に動いてその下端部４０が操作部材４７の圧力フェース５１にもはや向かず、管４８の切欠き５２の水平方向部分のところに位置する（図８及び図１４）という作用効果が得られる。上端部４１が中間部分４４中を通ることにより、フィンガ３８及びそれ故に押しボタン３０がケース２３の内方で水平に動くことができる（図９、図１０及び図１５）。中間部分４４内でのこの通過中、フィンガ３８の可端部４０は、切欠き５２のこの水平方向部分内で案内され、押しボタン３０の凹部３６の底部５４は、管４８及び操作部材４７に近づく。しかしながら、この凹部３６の深さは、押しボタン３０の完全引っ込み位置（図１０）では押しボタン凹部の底部が操作部材４７の圧力フェース５１に接触せず、かくしてこれを作動させることができないほど十分大きいことは注目されよう。最後に、フィンガ３８の上端部４１が長い部分４３中を通ることは、この場合保護の役割（押しボタン３０は、溝４２と協働するフィンガ３８によりロック位置に保持されている）のみを持つ垂直壁３２が押しボタン３０を完全に覆う（図１０及び図１２）ようベゼル３１の回転を終了させるのに役立つ。押しボタン３０をロック解除するには、ユーザは、ベゼル３１を反時計回りに回すだけで済み、したがってフィンガ３８及び押しボタン３０は、上述した運動と逆の運動を行うようになる。
【００１８】
本発明を一例を挙げて上述した。本発明の範囲から逸脱することなく改造例を想到できることは明らかである。特に、回転可能なベゼルに代えてフレームの外側フェースの周りに設けられたリングを用いてもよい。さらに、第２の実施形態においては、保護壁３２を省いてもよい。
【図面の簡単な説明】
【００１９】
【図１】本発明の第１の実施形態の押しボタンを備えた時計を、２つの押しボタンがロック解除された状態で示す斜視図である。
【図２】本発明の第１の実施形態の押しボタンを備えた時計を、２つの押しボタンのうちの一方がロックされた状態で示す斜視図である。
【図３】押しボタンのうちの一方をロック解除休止位置で示す部分半径方向断面図である。
【図４】押しボタンのうちの一方をロック位置で示す部分半径方向断面図である。
【図５】押しボタンのうちの一方を押しボタンが操作部材を作動させている位置で示す部分半径方向断面図である。
【図６】上から見た押しボタンのうちの一方の断面図である。
【図７】本発明の第２の実施形態の押しボタンを備えた時計の部分半径方向断面図であって押しボタン及びロック装置の幾つかの部分を示す図であり、押しボタンがロック解除位置にある状態を示す図である。
【図８】本発明の第２の実施形態の押しボタンを備えた時計の部分半径方向断面図であって押しボタン及びロック装置の幾つかの部分を示す図であり、ロック装置が押しボタンをロックしている状態を示す図である。
【図９】本発明の第２の実施形態の押しボタンを備えた時計の部分半径方向断面図であって押しボタン及びロック装置の幾つかの部分を示す図であり、ロック装置が押しボタンをロックしている状態を示す図である。
【図１０】本発明の第２の実施形態の押しボタンを備えた時計の部分半径方向断面図であって押しボタン及びロック装置の幾つかの部分を示す図であり、押しボタンがロック位置にある状態を示す図である。
【図１１】本発明の第２の実施形態の時計を押しボタンがロック解除された状態で示す平面図である。
【図１２】本発明の第２の実施形態の時計を押しボタンがロックされた状態で示す平面図である。
【図１３】本発明の第２の実施形態の時計の部分平面図であり、図７の場合と同一の位置でロック装置及び押しボタンのうちの一方を示す図である。
【図１４】本発明の第２の実施形態の時計の部分平面図であり、図８の場合と同一の位置でロック装置及び押しボタンのうちの一方を示す図である。
【図１５】本発明の第２の実施形態の時計の部分平面図であり、図９の場合と同一の位置でロック装置及び押しボタンのうちの一方を示す図である。
【符号の説明】
【００２０】
１，２３  時計ケース
３，２５  フレーム
４，１０，２６，３１  ベゼル
５  ガラス蓋
６  ムーブメント
７  文字板
８  竜頭
９，３０  押しボタン
１１  保護壁
１２  開口部
１３，４７  操作部材
２１  ばね
３８  フィンガ
３９  圧縮ばね
４２  溝
５２  切欠き
【図１】
2005292139.tif 000003
【図２】
2005292139.tif 000004
【図３】
2005292139.tif 000005
【図４】
2005292139.tif 000006
【図５】
2005292139.tif 000007
【図６】
2005292139.tif 000008
【図７】
2005292139.tif 000009
【図８】
2005292139.tif 000010
【図９】
2005292139.tif 000011
【図１０】
2005292139.tif 000012
【図１１】
2005292139.tif 000013
【図１２】
2005292139.tif 000014
【図１３】
2005292139.tif 000015
【図１４】
2005292139.tif 000016
【図１５】
2005292139.tif 000017